(57)【要約】【課題】、ビデオデータやオーディオデータ等であるコンテンツを無線方式により外部機器との間で伝送可能な情報再生装置において、アンテナ部を、効率よくゲインを確保しつつ、金属シャーシ外部に位置できる構成を提供する。【解決手段】この発明の実施の一形態は、電気信号を処理する１以上の回路基板あるいはモジュールを収容する金属製の構造体＜３＞と、前記金属製の構造体に対して接続されるとともに、無線によるデータの送受信に用いるアンテナまたはアンテナを含む回路基板あるいはモジュールのうちのアンテナ部分を、前記金属製の構造体により規定される空間に対して所定距離だけ離れた状態で収容する樹脂製の構造体＜５＞とを有する情報再生装置である。【選択図】図２
2010287284.tif 000002
【特許請求の範囲】
【請求項１】
電気信号を処理する１以上の回路基板を収容する金属製の構造体と、
前記金属製の構造体に対して接続されるとともに、無線によるデータの送受信に用いるアンテナまたはアンテナを含む回路基板あるいは通信モジュールのうちのアンテナ部分を収容する樹脂製の構造体と、を有し、
前記アンテナまたはアンテナ部分を、前記金属製の構造体と前記樹脂製の構造体とが接続される接続箇所から、前記アンテナまたはアンテナ部分の給電点と実アンテナ部分の外形との間の距離のうちで最小となる距離の１／２よりも離れた状態で前記樹脂製の構造体に収容することを特徴とする情報再生装置。
【請求項２】
前記樹脂製の構造体は、前記アンテナまたはアンテナ部分を支持する平面部を有することを特徴とする請求項１記載の情報再生装置。
【請求項３】
前記平面部は、前記樹脂製の構造体が装着された状態で正面となる側の形状に拘わりなく、前記正面に対して背面となる厚み部分において、前記アンテナまたはアンテナ部分を支持可能に形成されることを特徴とする請求項２記載の情報再生装置。
【請求項４】
前記平面部は、前記樹脂製の構造体の上面に位置する辺または下面に位置する辺に設けられることを特徴とする請求項２記載の情報再生装置。
【請求項５】
前記平面部は、前記樹脂製の構造体の上面に位置する辺または下面に位置する辺に設けられることを特徴とする請求項３記載の情報再生装置。
【発明の詳細な説明】
【技術分野】
【０００１】
この発明は、動画、静止画、音楽もしくは音声等のコンテンツを再生する情報再生装置に関する。
【背景技術】
【０００２】
ビデオデータ（音声あるいは音楽ファイル付動画ファイル）あるいはオーディオデータ（音声ファイル）、もしくは静止画等のコンテンツ（番組またはタイトルと称されることもある）は、例えばＤＶＤ（Digital Versatile Disk）規格の光ディスクや、半導体メモリ、例えばＳＤ（Secure Digital）カード、もしくは大容量メモリ、例えばＵＳＢ（Universal Serial Bus）メモリ等を媒体（メディア）として、視聴者（ユーザー）に提供される。なお、コンテンツの供給元としては、ネットワーク（ＬＡＮ）上に配信事業者が用意するサーバや、放送事業者により提供される空間波が含まれる。
【０００３】
一方、今日では、無線ＬＡＮ（Wireless Local Area Network）やBluetooth（登録商標）の普及に伴い、比較的狭い空間、例えば個人向けの住宅や小規模なビル等においては、ＬＡＮ機能が、有線によらずに確保できる環境が整いつつある。
【０００４】
このような環境下において、携帯可能な情報再生端末と据え置き型の情報再生装置との間のビデオデータやオーディオデータ等の受け渡しに、上述の無線方式が用いられることが広まりつつある。特に、映像に付属するオーディオまたは音声を、ヘッドフォンにより再生する際に、そのデータを上述の無線方式により伝送する等の利用が高まっている。
【０００５】
特許文献１（先行技術文献）には、アンテナ部を有する情報再生装置、例えば車載装置において、アンテナ部の逆Ｆ型素子をフロントパネルに対向させ、プリント基板とフロントパネルとの間に位置させることが開示されている。
【先行技術文献】
【特許文献】
【０００６】
【特許文献１】特開２００５−３４１１４４号公報、図３、図４、段落［００３０］〜［００３３］
【発明の概要】
【発明が解決しようとする課題】
【０００７】
特許文献１においては、アンテナ部がプリント基板の構成の一部であり、接地板がプリント基板に固定されることにより、アンテナ部を配置する位置の自由度が制限を受ける。
【０００８】
すなわち、アンテナは、ＧＮＤ（接地）に近いと特性が悪化あるいは変化するとともに金属シャーシ内に設置した場合には十分なゲインが得られなくなる。従って、アンテナ部は、金属シャーシから離れた位置に設けられることが好ましい。
【０００９】
なお、アンテナ部の一部としてＧＮＤを積極的に利用する設計もあるが、その場合は、金属シャーシもアンテナの一部とみなされるため、ＦＣＣ（Federal Communications Commission，米国連邦通信委員会）や電波法（日本国内）に代表される安全規格の認証（およびその対応）に際して、コスト増となる可能性が生じる。
【００１０】
このため、アンテナ部は、可能な限り金属シャーシと独立して設けることが好ましい。なお、無線モジュールと一体に形成されるアンテナにおいても、アンテナ部を単体で動作することが、望ましい。
【００１１】
この発明の目的は、ビデオデータやオーディオデータ等であるコンテンツを無線方式により外部機器との間で伝送可能な情報再生装置において、アンテナ部を、効率よくゲインを確保しつつ、金属シャーシ外部に位置できる構成を提供することである。
【課題を解決するための手段】
【００１２】
この発明は、上記問題点に基づきなされたもので、電気信号を処理する１以上の回路基板を収容する金属製の構造体と、前記金属製の構造体に対して接続されるとともに、無線によるデータの送受信に用いるアンテナまたはアンテナを含む回路基板あるいは通信モジュールのうちのアンテナ部分を収容する樹脂製の構造体と、を有し、前記アンテナまたはアンテナ部分を、前記金属製の構造体と前記樹脂製の構造体とが接続される接続箇所から、前記アンテナまたはアンテナ部分の給電点と実アンテナ部分の外形との間の距離のうちで最小となる距離の１／２よりも離れた状態で前記樹脂製の構造体に収容することを特徴とする情報再生装置を提供するものである。
【発明の効果】
【００１３】
この発明の一つの実施の形態によれば、金属シャーシと樹脂フロントパネルからなる情報再生装置において、アンテナを外装ケース内に内蔵することができる。このことは、据え置き型と称され、外装ケースの大部分がラック等に収納されるような情報再生装置においても、内蔵式のアンテナを用いた無線通信によるデータの送受信を可能とする。
【００１４】
また、据え置き型と称されるラック等において、積層状態で利用されることが少なくない情報再生装置に、特性が悪化あるいは変化することを抑制可能に、内蔵式のアンテナを設けることができ、無線通信を用いてデータを送受信する機器間のデータの安定な受け渡しが実現できる。
【００１５】
さらに、アンテナを取り付ける工程および位置に関する制約が抑止されるため、装置の製造コストが低減できる。
【図面の簡単な説明】
【００１６】
【図１】この発明の実施の一形態が適用可能な情報再生装置（プレーヤ装置）の一例を示す概略図。
【図２】図１に示した情報再生装置の外装（シャーシおよび前面ブロック）とアンテナ部の位置関係の一例を説明する概略図。
【図３】図２により説明したアンテナ部の配置に適した前面ブロックの形状の特徴の一例を説明する概略図。
【図４】図２により説明したアンテナ部と情報再生装置の金属シャーシとの間隔について説明する概略図。
【図５】図２により説明したアンテナ部と情報再生装置の金属シャーシとの間隔について説明する概略図。
【発明を実施するための形態】
【００１７】
以下、図面を参照して、本発明の実施の一形態について説明する。
【００１８】
図１は、この発明の実施の一形態が適用される情報再生装置（プレーヤ装置）の一例を示す。
【００１９】
情報再生装置１０１は、制御モジュール（主制御ブロック）１１１、メモリ１１２、ディスクドライブ１１３、ストレージデバイス（リーダライタ）１１４、映像出力モジュール１１５、リモコン信号受信モジュール１１６、ネットワークモジュール１１７、無線通信モジュール１１８、ユーザーによる操作入力を受けつける操作部１１９、等を有する。なお、無線通信モジュール１１８には、２以上のアンテナ１２０が接続される。映像出力モジュール１１１には、映像表示装置２０１が接続可能である。
【００２０】
制御モジュール１１１は、リモコン信号受信モジュール１１６から入力される制御信号に基づき、各種動作を制御する。
【００２１】
ディスクドライブ１１３は、ＣＤやＤＶＤ等のディスク媒体に記録されたコンテンツを読み出すことができる。
【００２２】
ストレージデバイス１１４は、詳述しないが、ＵＳＢ（Universal Serial Bus）メモリインターフェース、メモリカードインターフェース等のインターフェースを含み、コンテンツ供給媒体として用いられるＵＳＢメモリ（大容量メモリ）やＳＤ（Secure Digital）カードに代表されるカード状の半導体メモリを用いて供給されるビデオデータやオーディオデータを取得する。
【００２３】
リモコン信号受信モジュール１１６は、例えばリモコン端末（リモートコントローラ）Ｒからの制御信号を受信し、制御信号を制御モジュール１１１へ入力する。
【００２４】
ネットワークモジュール１１７は、インターネット（ネットワーク網）Ｎを介し、詳述しないが、ネットワーク上に位置する任意のサーバ、あるいはサイト（配信事業者）から所望の情報やデータを取得可能な環境を提供する。
【００２５】
無線通信モジュール１１８は、接続されたアンテナ１２０を介して、例えば無線方式に対応するヘッドフォンに再生信号を供給するとともに、例えば携帯可能な情報再生端末との間で、データを送受信する。なお、無線通信モジュール１１８としては、例えばBluetooth（登録商標）や、ＩＥＥＥ８０２．１１に準拠した無線ＬＡＮ（Wireless Local Area Network）モジュール等が利用可能である。
【００２６】
アンテナ１１２０は、少なくとも２．４ＧＨｚ帯の周波数の信号の送受信が可能であればよく、複数周波数に対応する逆Ｆ型等のフィルムタイプやプリント基板に信号処理部と一体に形成された無線処理モジュール等、が利用可能である。なお、アンテナ１２０は、少なくとも、給電端を境界としてアンテナエレメント部分が、図２を用いて以下に説明する情報再生装置１０１の外装部分のうちの金属シャーシによって囲まれる空間よりも外側に位置するよう、配置される。また、信号処理部と一体に形成された無線処理モジュールを用いる場合においても同様に、給電端を境界としてアンテナエレメント部分が、金属シャーシによって囲まれる空間よりも外側に位置するよう、配置される。
【００２７】
図２は、図１に示した情報再生装置の各要素を収容する外装ケースと各要素の位置関係の一例を示す。
【００２８】
外装ケース１は、少なくとも、金属シャーシ３と樹脂製のフロントパネル５を含む。
【００２９】
金属シャーシ３により囲まれる空間すなわち、通常開口部等を含むが実質的に金属製の６面体となる金属シャーシ３の内側の領域には、制御モジュール（主制御ブロック）１１１、メモリ１１２、映像出力モジュール１１５、リモコン信号受信モジュール１１６、ネットワークモジュール１１７、無線通信モジュール１１８、等を保持した主基板（電装部品）１０３、ディスクドライブ１１３の本体部分、図示しない電源装置等が収容されている。
【００３０】
樹脂製のフロントパネル５には、操作部１１９、リモコン信号受信モジュール１１６の受信部、ディスクドライブ１１３のディスクトレイの動作を可能とする開口部、等が用意されている。なお、操作部１１９が、例えば時計ユニットや、カウンタを伴う場合には、そのユニットが表示する時刻やカウンタ値（再生時間等）がユーザーから視認可能に配置される。また、無線通信モジュール１１８と接続されたアンテナ１２０（アンテナが無線通信モジュールと一体である場合には、少なくとも給電点よりもアンテナエレメント側の部分）が、樹脂製のフロントパネル５の内側であって、金属シャーシ３により囲まれる空間の外側になる、所定の位置に固定されている。なお、アンテナ１２０が取り付け可能な平面部Ａ〜Ｆ（図２（ａ）参照）が、図３を用いて以下に説明する条件を満たすアンテナ取り付け位置として用意されている。
【００３１】
図３は、図２に示した樹脂製のフロントパネルを、左右方向の概ね中央で切断した状態を示す。
【００３２】
図３に示すように、樹脂製のフロントパネル５は、少なくとも上辺５Ｕと下辺５Ｂに、アンテナ１２０が固定可能な平面状の複数の空間５−１を含む。また、フロントパネル５は、情報再生装置１０１に装着された状態で正面となる側の形状に拘わりなく、同正面に対して背面となる厚み部分において、アンテナ１２０が固定可能に確保された複数の平面部５−２を含む。すなわち、図３を参照してさらに詳しく説明すると、フロントパネル５の図中最も左側に位置する平面と上下の平面（５Ｕまたは５Ｂ）とを結ぶ外形が曲面であるに対し、その内側に用意された平面部５−２が平面であるから、平面部５−２が形成される部分では、フロントパネル５の肉厚が連続的に変化することになる。
【００３３】
なお、空間５−１、平面部５−２は、アンテナ１２０がフィルム状、あるいはプリント基板に一体に形成されている等に代表される形状の特徴が平面であるから、両面テープや粘性が比較的低い接着剤による固定を可能とする。すなわち、アンテナ１２０が固定される領域である空間５−１や平面部５−２を平面とすることにより、同空間５−１や平面部５−２にアンテナ１２０を固定する工程が簡単になる。
【００３４】
なお、アンテナ１２０は、安定な送受信を可能とするため、あるいは多元接続のため、２以上設けられることがあるため、上述した空間５−１、平面部５−２は、少なくとも２以上、必要数に基づいて用意される。また、情報再生装置１０１の組み立て手順や信号線の処理に関連してアンテナ１２０の取り付けに際して制約が生じる場合があるため、上述した空間５−１、平面部５−２の合計数は、アンテナ１２０が実際に設けられる数よりも多く確保されることが好ましい（図２を参照すれば、空間と平面部の合計は、Ａ〜Ｆで示した通り、６箇所である）。
【００３５】
ここで、平面部５−２は、フロントパネル５の情報再生装置１０１に装着された状態で正面となる側の形状が曲面または多面体に形成されることに起因して、アンテナ１２０を異なる角度で設置可能である。また、空間５−１および平面部５−２を任意に選択してアンテナ１２０を配置することで、（各アンテナを）法線方向や任意の方向にずらすことができ、安定な送受信が可能となる。
【００３６】
ところで、上辺５Ｕと下辺５Ｂに規定される平面状の複数の空間５−１については、フロントパネルと金属シャーシ３とを接続した際に、金属シャーシ３の６面体の任意の一面であって、図２に、斜線をつけて表示した面である接地面との間の間隔が０（ゼロ）となる場合があるため、装置１０１を組み立てた状態で、アンテナ１２０、またはアンテナが無線通信モジュールと一体である場合には、少なくとも給電点よりもアンテナエレメント側の部分、もしくはアンテナ１２０の基板やフィルムを含む外形サイズに対する実アンテナサイズ（エレメントや給電点等の送受信に寄与する部分の大きさ）と金属シャーシ３との間の上記接地面との間の距離ｄを確保することが必要となる。
【００３７】
距離ｄは、図４に一例を示すが、例えば外形サイズが概ね矩形である場合の長辺または特定の一辺の長さをＡ、外形サイズの短辺または特定の一辺Ａと概ね直交する方向の長さをＢ、Ａ×Ｂで規定されるアンテナ１２０内に収容され、エレメントや給電点等の送受信に寄与する部分のうちの最大値（実アンテナサイズを概ね矩形とみなした場合の実アンテナ外形寸法）を、それぞれ、Ａ´およびＢ´とするとき、給電点（Ｅ）と実アンテナの外形との間の距離「ａ０」，「ａ１」，「ｂ０」または「ｂ１」で示す４つの距離、すなわち、│Ｅ−ａ０│，│Ｅ−ａ１│，│Ｅ−ｂ０│，│Ｅ−ｂ１│のうちの最も短い距離に対して、１／２以上であれば、送受信時に特性が悪化あるいは変化することを実質的に十分抑止できることが、確認試験により確認されている。また、複数波長対応アンテナにおいては、利用周波数毎に送受信特性が変化する場合のあることが確認されているが、上述の条件下においては、支障のない送受信が可能である。
【００３８】
距離ｄは、図５に一例を示すが、例えば給電点（Ｅ）がエレメントや導体部分もしくは無線通信モジュール１１８に囲まれているようなパターンのアンテナ１２０である場合、外形サイズが概ね矩形である場合の長辺または特定の一辺の長さをＡ、外形サイズの短辺または特定の一辺Ａと概ね直交する方向の長さをＢ、Ａ×Ｂで規定されるアンテナ内に収容され、エレメントや給電点等の送受信に寄与する部分のうちの最大値（実アンテナサイズを概ね矩形とみなした場合の実アンテナ外形寸法）を、それぞれ、Ａ´およびＢ´とするとき、給電点（Ｅ）と実アンテナの外形との間の距離「ａ０１」，「ａ１１」，「ｂ０１」または「ｂ１１」で示す４つの距離、すなわち、│Ｅ−ａ０１│，│Ｅ−ａ１１│，│Ｅ−ｂ０１│，│Ｅ−ｂ１１│のうちの最も短い距離に対して、１／２以上であれば、送受信時に特性が悪化あるいは変化することを実質的に十分抑止できることが、確認試験により確認されている。
【００３９】
また、距離ｄは、アンテナ１２０の配置、すなわち基板やフィルムの傾き等に起因して変化することが考えられることから、図２（ｂ）に示すように、金属シャーシ３の上記接地面の任意の１点から半径ｄの球体を考えたとき、その球体の表面の任意の位置として、説明できる。
【００４０】
なお、例えばディスクドライブ１１３の図示しないディスクトレイが往復する空間の近傍およびその下方（図３に示す状態で下辺５Ｂ側）になる領域については、アンテナ１２０を配置しないことが好ましい。すなわち、ディスクトレイに用いられることのある金属材料が移動することにより電界変動が生じたとしても、実質的にその影響を受けることのない位置にアンテナ１２０を設けることが好ましい。また、同様の理由から、アンテナ１２０と主基板１０３とを電気的に接続する図示しないケーブル（ハーネス）がディスクトレイと接することや、ディスクドライブ１１３を取り付ける工程に対して制約を与えることが抑止できる。
【００４１】
以上説明したように、この発明の実施の一形態を適用することにより、金属シャーシと樹脂フロントパネルからなる情報再生装置において、アンテナを外装ケース内に内蔵することができる。このことは、据え置き型と称され、外装ケースの大部分がラック等、例えばテレビ台に収納されるような情報再生装置においても、内蔵式のアンテナを用いた無線通信によるデータの送受信を可能とする。
【００４２】
また、据え置き型と称されるラック（テレビ台）等において、積層状態で利用されることが少なくない情報再生装置に、特性が悪化あるいは変化することを抑制可能に、内蔵式のアンテナを設けることができ、無線通信を用いてデータを送受信する機器間のデータの安定な受け渡しが実現できる。
【００４３】
さらに、アンテナを取り付ける工程および位置に関する制約が抑止されるため、装置の製造コストが低減できる。
【００４４】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００４５】
１…外装ケース、３…金属シャーシ、５…フロントパネル（樹脂）、１０１…情報再生装置（プレーヤ装置）、１０３…主基板（電装部品）、１１１…主制御ブロック（制御モジュール）、１１２…メモリ、１１３…ディスクドライブ、１１４…ストレージデバイス、１１５…映像出力モジュール、１１６…リモコン信号受信モジュール、１１７…ネットワークモジュール、１１８…無線通信モジュール、１１９…操作部、１２０…アンテナ。
【図１】
2010287284.tif 000003
【図２】
2010287284.tif 000004
【図３】
2010287284.tif 000005
【図４】
2010287284.tif 000006
【図５】
2010287284.tif 000007